(57)【要約】【課題】所望の補給性能を実現し、充填性や組立性に優れ、トナーブロッキングにも強く、汚れを低減することができる、現像剤補給容器を提供する。【解決手段】回転することで現像剤を画像形成装置へ補給する現像剤補給容器１において、現像剤を収容する円筒状の容器本体であって、ブロー成形により内部に螺旋状突起１ｂが形成された容器本体１Ａと、容器本体１Ａの一端側に形成され、螺旋状突起１ｂが形成されていない、容器本体内径よりも小径の現像剤排出開口部１Ａと、容器本体１Ａと一体で回転し、容器本体１Ａ内の螺旋状突起１ｂによって搬送されてきた現像剤を現像剤排出開口部１Ａへ搬送する搬送部材３と、を有し、容器本体１Ａの一端側の現像剤排出開口部１Ａから、搬送部材３を容器本体１Ａの径方向内側に変位させて現像剤排出開口部１Ａから容器本体１Ａ内へ挿入し、挿入後に容器本体１Ａ内で搬送部材３を容器本体１Ａの径方向外側に変位させることで、搬送部材３を容器本体内部に固定する。【選択図】図１０
2010117604.tif 000002
【特許請求の範囲】
【請求項１】
回転することで現像剤を画像形成装置へ補給する現像剤補給容器において、
現像剤を収容する容器本体であって、ブロー成形により内部に螺旋状突起が形成された容器本体と、
前記容器本体の一端側に形成され、前記螺旋状突起が形成されていない、前記容器本体内径よりも小径の現像剤排出開口部と、
前記容器本体と一体で回転し、前記容器本体内の前記螺旋状突起によって搬送されてきた現像剤を前記現像剤排出開口部へ搬送する搬送部材と、
を有し、
前記容器本体の一端側の前記現像剤排出開口部から、前記搬送部材を前記容器本体の径方向内側に変位させて前記現像剤排出開口部から前記容器本体内へ挿入し、挿入後に前記容器本体内で前記搬送部材を前記容器本体の径方向外側に変位させることで、前記搬送部材が前記容器本体内部に固定されていることを特徴とする現像剤補給容器。
【請求項２】
前記搬送部材は、回転することによって前記容器本体内の現像剤を持ち上げる板状の仕切り壁部と、持ち上げた現像剤を前記現像剤排出開口部へ搬送する搬送リブ部とをそれぞれ有する一対のバッフル部材であって、
前記バッフル部材は、回転中心軸対称に互いに対称配置され、
前記バッフル部材同士は、径方向に揺動可能に支持軸にて支持され、且つ、付勢手段により前記支持軸を回転中心として前記バッフル部材同士を互いに開く方向に付勢されていることを特徴とする請求項１に記載の現像剤補給容器。
【請求項３】
回転することで現像剤を画像形成装置へ補給する現像剤補給容器において、
現像剤を収容する容器本体であって、ブロー成形により内部に螺旋状突起が形成され、一端側に形成した容器本体開口部には螺旋状突起が形成されていない容器本体と、
前記容器本体の前記容器本体開口部に着脱可能に接続され、前記容器本体内径よりも小径の現像剤排出開口部を形成する開口部材と、
前記容器本体と一体で回転し、前記容器本体内の前記螺旋状突起によって搬送されてきた現像剤を前記現像剤排出開口部へ搬送する搬送部材と、
を有し、
前記開口部材が前記容器本体に取り付けられていない状態で、前記容器本体の前記容器本体開口部から、前記搬送部材を前記容器本体の径方向内側に変位させて前記容器本体開口部から前記容器本体内へ挿入し、挿入後に前記容器本体内で前記搬送部材を前記容器本体の径方向外側に変位させることで前記搬送部材が前記容器本体内部に固定され、その後、前記開口部材が前記容器本体開口部に取り付けられていることを特徴とする現像剤補給容器。
【請求項４】
前記搬送部材は、回転することによって前記容器本体内の現像剤を持ち上げる板状の仕切り壁部と、持ち上げた現像剤を前記現像剤排出開口部へ搬送する搬送リブ部とをそれぞれ有する一対のバッフル部材であって、
前記各バッフル部材は、前記仕切り壁部に前記搬送部材を前記容器本体開口部から前記容器本体内へ挿入する際に前記仕切り壁部が径方向内側に変位可能なスリット部を有することを特徴とする請求項３に記載の現像剤補給容器。
【請求項５】
前記各バッフル部材は、弾性変形により前記仕切り壁部が径方向内側又は径方向外側に変位可能であることを特徴とする請求項４に記載の現像剤補給容器。
【請求項６】
前記各バッフル部材の前記仕切り壁部は、前記容器本体内へと挿入する際に前記容器本体内面に接触することで径方向内側へ変位するための第一の傾斜面と、前記容器本体内から取出す際に前記容器本体内面に接触することで径方向内側へ変位するための第二の傾斜面とを有することを特徴とする請求項３〜５のいずれかの項に記載の現像剤補給容器。
【請求項７】
前記搬送部材の前記仕切り壁部は、前記容器本体内を略二分する形状とされる、前記螺旋状突起と接続されていることを特徴とする請求項２〜６のいずれかの項に記載の現像剤補給容器。
【発明の詳細な説明】
【技術分野】
【０００１】
本発明は、電子写真複写機、プリンタ、ファクシミリ等の電子写真画像形成装置に着脱可能な現像剤補給容器に関するものである。
【背景技術】
【０００２】
従来、電子写真複写機やプリンタ等の電子写真画像形成装置には微粉末の現像剤が使用されている。そして、電子写真画像形成装置本体の現像剤が消費された場合には、現像剤補給容器を用いて画像形成装置本体へ現像剤を補給することが行われている。
【０００３】
ここで、現像剤は極めて微細な粉末であるため、現像剤補給時には、現像剤が飛散しないように現像剤補給容器を画像形成装置本体の内部に据え置いて、小さな開口部から少量ずつ現像剤を排出する現像剤補給容器が提案され、実用化されている。
【０００４】
上述したような現像剤補給容器は、ブロー成形や射出成形などにより製造するのが一般的であり、例えば、特許文献１〜特許文献３に記載されるような種々の現像剤補給容器がある。
【０００５】
特許文献１は、現像剤補給容器である円筒状のトナーボトルを２軸延伸ブロー成形法によって製造する方法が開示されてある。特許文献１は、プリフォームと呼ばれる加熱した樹脂部材を金型の中に入れて、プリフォーム内部にエアーを吹き込み膨らませることで、金型に密着・成形させて現像剤補給容器を形成する方法である。金型には螺旋状の突起が設けてあるため、成形後には容器の内面に螺旋状の突起が形成され、この螺旋状の突起によって容器の回転に伴い現像剤を排出開口部へ搬送する。排出開口部は、容器本体の一端側に容器本体よりも小径の突出した開口部を形成しており、搬送された現像剤は、この排出開口部から画像形成装置へ現像剤を補給する構成となっている。
【０００６】
また、特許文献２には容器内部に螺旋状の搬送突起を形成した容器本体に、容器本体よりも小径の開口部から容器内部に向って搬送部材を封入した例が開示されている。この搬送部材は、棒状の支持部材に掻き取り羽根を設け、この掻き取り羽根を支持部に巻き付けながら前記開口部から容器本体内部へ封入し、容器内面を摺擦して現像剤を撹拌するという構成のものである。
【０００７】
また、特許文献３には射出成形により形成した容器本体内に容器本体と一体となって回転する搬送部材を設けた例が開示されている。
【特許文献１】特開２００１−４２６２６号公報
【特許文献２】特開平９−３４２３３号公報
【特許文献３】特開２００３−０５７９３１号公報
【発明の開示】
【発明が解決しようとする課題】
【０００８】
しかしながら、上記従来技術はそれぞれの優れた特徴を有しつつも、一方ではまだ幾つかの技術的な課題が残されている。
【０００９】
例えば特許文献１に示すようなブロー成形による現像剤補給容器の場合、その製法上の特徴から成形できる製品形状には制約がある。
【００１０】
ブロー成形は、樹脂部材を膨らませて金型に密着・成形する製法のため、基本的にはエアーを吹込むための開口部が１箇所の袋状の物しか成形できない。これは、両端に開口穴がある筒状のような部品だとエアーを吹き込んだ際に他方の開口部からエアーが抜けてしまい、膨らませることができないからである。従って、ブロー成形といえば、通常は飲料用のペットボトルに代表されるような小径の開口部と大径のボトル部を有するような形状が殆どである。
【００１１】
このように開口部を２箇所以上設けることができないため、現像剤を容器に充填する充填口と、充填した現像剤を画像形成装置へ補給するための排出開口部が必ず同じになってしまう。
【００１２】
ところが、充填性を考慮した場合、充填口が大きいほうが効率よく充填できるが、一方でトナー飛散や汚れ性を考慮した場合は充填口は小さいほうが好ましい。
【００１３】
また、この開口部の大きさは現像剤を補給する際の補給性能にも大きく関係しており、開口が大き過ぎると必要以上に現像剤が補給されてしまうし、小さ過ぎると補給量が足りないというように最適な口径に設定しなければならない。
【００１４】
このように充填性、補給性、汚れ性といった様々な性能を一つの開口部で実現せざるを得ず、全てを同時に満足させることが非常に難しいという問題がある。
【００１５】
更に、もう一つの問題は、容器本体内に撹拌・搬送部材等の他の部材を設けることが非常に困難であるということである。
【００１６】
例えば、現像剤補給容器でよく問題とされる「トナーブロッキング」について考えてみる。
【００１７】
現像剤は極めて微細な粉末であるため、長期間高温高湿環境下などで放置しておいたり、物流による振動等で現像剤が徐々に締まって固まってしまう「ブロッキング」という現象を生じることがある。ブロッキングが生じると現像剤が補給できなくなるという致命的な問題となるため、従来こうした課題に対しては容器内部にブロッキングを崩すための撹拌部材等の別部材を設けることが一般的である。
【００１８】
しかしながら、こうした撹拌部材を内装する現像剤補給容器の多くは、「射出成形」による現像剤補給容器が殆どである。開口部を一つしか設けることができないブロー成形による現像剤補給容器の場合、小さな開口から撹拌部材等を挿入・設置することが困難であるため、殆ど実用化されていないのが現状である。
【００１９】
特許文献２には容器本体よりも小さな開口から搬送部材を容器内部に挿入するという例が開示されている。この開示例では棒状の支持部に弾性の掻き取り羽根を設けた掻き取り部材を、前記支持部に巻き付けながら容器本体内に封入する例が示されている。
【００２０】
しかしながら、掻き取り羽根を支持部に巻き付けながら小さな開口から容器本体内へ挿入しなければならない。そのため、組立性が非常に悪い点と、容器本体内面を掻き取り部材が摺擦するために、現像剤にストレスを与えて現像剤同士が凝集・固着してしまう、所謂「粗粒」が発生してしまう可能性がある。
【００２１】
また、トナーボトルの再使用を考えた場合、特許文献２に記載の掻き取り羽根では、ポリエステルなどのフィルム状の弾性材料であるため、使用後は巻きぐせがついてカールしてしまったりする可能性がある。そのため、新品時と同等の性能を維持することが困難な場合がある。カールを抑制するためにフィルムの厚さを厚くしたり、剛性の高い材質にすると逆に凝集体や粗粒が発生してしまう可能性があり、最適化が難しい。
【００２２】
このようにブロー成形による現像剤補給容器は、開口部が１箇所しか設けられないという制約のため、現像剤補給容器として要求される、補給性能、充填性能、汚れ性等を適宜最適化することが困難であった。
【００２３】
これに対し、特許文献３に示すような射出成形による現像剤補給容器の場合、上記のような課題や制約は無く、自由に形状を成形できるため、最適化した現像剤補給容器を構成することができる。
【００２４】
射出成形は、金型に溶融した樹脂を流し込み（射出）、冷却した後に金型を開いて成形品を取り出すという一般的に広く知られた製法である。射出成形のメリットは成形品の寸法精度がブロー成形などと比較すると精度が高い点である。これは内側も外側も精度が保証された金型で囲み、その内部に完全に溶融した樹脂を流し込み成形するため、製品の内面も外面も精度を出し易いためである。特に、トナーボトルのような円筒形状の製品に対しては内径と外径の真円度や円筒度、偏肉精度などが要求される場合には非常に好適な製法である。
【００２５】
また、ブロー成形の場合、樹脂部材を延伸させるため延びの良い樹脂材料に選択肢が限られるが、射出成形の場合だと、樹脂を完全に溶融するため材料の選択肢が広く、殆ど全ての樹脂材料を選択できるというのも大きなメリットである。
【００２６】
また、ブロー成形のように膨らませる必要がないので様々な形状の成形が可能で、形状の制約が比較的少ないといった特徴がある。
【００２７】
しかしながら、ブロー成形と比較して、製品の基本肉厚も厚いため、使用する樹脂材料の量も多くなり、材料費が高くなり易いといったコスト的に不利な面があるのは否めない。
【００２８】
また、特許文献３に記載の現像剤補給容器は、容器本体内に渡って搬送部材が内設されているため、トナーを充填した際に、この搬送部材が邪魔になって良好な充填を阻害する可能性があった。
【００２９】
本発明は、上記従来技術の課題を解消するために発案されたものであり、その目的とするところは、所望の補給性能を実現し、充填性や組立性に優れ、トナーブロッキングにも強く、汚れを低減することができる、現像剤補給容器を提供することである。
【課題を解決するための手段】
【００３０】
上記目的は本発明に係る現像剤補給容器にて達成される。要約すれば、本発明の一態様によれば、回転することで現像剤を画像形成装置へ補給する現像剤補給容器において、
現像剤を収容する容器本体であって、ブロー成形により内部に螺旋状突起が形成された容器本体と、
前記容器本体の一端側に形成され、前記螺旋状突起が形成されていない、前記容器本体内径よりも小径の現像剤排出開口部と、
前記容器本体と一体で回転し、前記容器本体内の前記螺旋状突起によって搬送されてきた現像剤を前記現像剤排出開口部へ搬送する搬送部材と、
を有し、
前記容器本体の一端側の前記現像剤排出開口部から、前記搬送部材を前記容器本体の径方向内側に変位させて前記現像剤排出開口部から前記容器本体内へ挿入し、挿入後に前記容器本体内で前記搬送部材を前記容器本体の径方向外側に変位させることで、前記搬送部材が前記容器本体内部に固定されていることを特徴とする現像剤補給容器が提供される。
【００３１】
本発明の第二の態様によれば、回転することで現像剤を画像形成装置へ補給する現像剤補給容器において、
現像剤を収容する容器本体であって、ブロー成形により内部に螺旋状突起が形成され、一端側に形成した容器本体開口部には螺旋状突起が形成されていない容器本体と、
前記容器本体の前記容器本体開口部に着脱可能に接続され、前記容器本体内径よりも小径の現像剤排出開口部を形成する開口部材と、
前記容器本体と一体で回転し、前記容器本体内の前記螺旋状突起によって搬送されてきた現像剤を前記現像剤排出開口部へ搬送する搬送部材と、
を有し、
前記開口部材が前記容器本体に取り付けられていない状態で、前記容器本体の前記容器本体開口部から、前記搬送部材を前記容器本体の径方向内側に変位させて前記容器本体開口部から前記容器本体内へ挿入し、挿入後に前記容器本体内で前記搬送部材を前記容器本体の径方向外側に変位させることで前記搬送部材が前記容器本体内部に固定され、その後、前記開口部材が前記容器本体開口部に取り付けられていることを特徴とする現像剤補給容器が提供される。
【発明の効果】
【００３２】
本発明の現像剤補給容器によれば
（１）トナーブロッキングが生じても、確実に解消し、排出初期から良好な補給性を実現できる。
（２）ブロー成形と射出成形の両方のメリットを生かした、低コストで充填性に優れている。
（３）搬送部材が装脱着可能であり、更に、容器本体と一体となって回転するため、摺擦などによる部品の消耗が無く、繰り返し何度でも再使用することが可能な再使用性に優れている。
（４）容器本体に現像剤を充填した後に、搬送部材を容器本体内に装着することが可能であるため、高密度充填可能である。
【発明を実施するための最良の形態】
【００３３】
以下、本発明に係る現像剤補給容器を図面に則して更に詳しく説明する。ただし、以下の実施例に記載されている構成部品の寸法、材質、形状、それらの相対配置などは、本発明が適用される装置の構成や各種条件により適宜変更されるべきものである。従って、特に特定的な記載がない限りは本発明の範囲をそれらのみに限定する趣旨のものではない。
【００３４】
実施例１
先ず、図１〜図３を用いて、本発明に係る現像剤補給容器が装着される電子写真画像形成装置の一例である電子写真複写機の構成について説明する。
【００３５】
＜電子写真画像形成装置＞
図１に示す電子写真複写機１００は、装置本体１００Ａにドラム状の電子写真感光体（以下、「感光体ドラム」という。）１０４が回転可能に支持されている。画像形成装置１００にて、原稿１０１が原稿台ガラス１０２の上に置かれると、原稿１０１の画像情報に応じた光像が光学部１０３の複数のミラーＭとレンズＬｎにより感光体ドラム１０４上に結像する。カセット１０５、１０６、１０７、１０８に積載された記録媒体（以下、「用紙」という。）Ｐのうち、図２に示す操作部１００ａから使用者（ユーザー）が入力した情報若しくは原稿１０１の紙サイズから最適な用紙Ｐをカセット１０５〜１０８の用紙サイズ情報から選択する。ここで、記録媒体としては用紙に限定されずに、例えばＯＨＰシート等適宜選択できる。
【００３６】
そして、給送・分離装置１０５Ａ、１０６Ａ、１０７Ａ、１０８Ａにより搬送された１枚の用紙Ｐを、搬送部１０９を経由してレジストローラ１１０まで搬送する。更に、レジストローラ１１０により用紙Ｐを感光体ドラム１０４の回転と、光学部１０３のスキャンのタイミングを同期させて転写部に搬送する。転写部では、転写放電器１１１によって、感光体ドラム１０４上に形成された現像剤像を用紙Ｐに転写する。そして、分離放電器１１２によって、現像剤像の転写された用紙Ｐを感光体ドラム１０４から分離する。
【００３７】
この後、搬送部１１３により定着部１１４へ搬送された用紙Ｐは、定着部１１４において熱と圧力により用紙Ｐ上の現像剤像を定着させた後、片面コピーの場合には、排出反転部１１５を通過し、排出ローラ１１６により排出トレイ１１７へ排出される。又、両面コピーの場合には、排出反転部１１５のフラッパ１１８の制御により、再給送搬送路１１９、１２０を経由してレジストローラ１１０まで搬送された後、片面コピーの場合と同様の経路をたどって排出トレイ１１７へ排出される。
【００３８】
又、多重コピーの場合には、用紙Ｐは排出反転部１１５を通り、一度排出ローラ１１６により一部が装置外へ排出される。そして、この後、用紙Ｐの終端がフラッパ１１８を通過し、排出ローラ１１６にまだ挟持されているタイミングでフラッパ１１８を制御すると共に排出ローラ１１６を逆回転させることにより、再度装置本体１００Ａ内へ搬送される。更にこの後、再給送搬送部１１９、１２０を経由してレジストローラ１１０まで搬送された後、片面コピーの場合と同様の経路をたどって排出トレイ１１７へ排出される。
【００３９】
ところで、上記構成の装置本体１００Ａにおいて、感光体ドラム１０４の回りには現像部２０１、クリーナ部２０２、一次帯電器２０３等が配置されている。
【００４０】
現像部２０１は、原稿１０１の情報が光学部１０３により感光体ドラム１０４に形成された静電潜像を、現像剤を用いて現像するものである。
【００４１】
又、現像部２０１は、現像剤ホッパー２０１ａと現像器２０１ｂとを有している。現像剤ホッパー２０１ａは、現像剤補給容器１から補給された現像剤を撹拌するための撹拌部材２０１ｃを有している。そして、この撹拌部材２０１ｃにより撹拌された現像剤は、マグネットローラ２０１ｄにより現像器２０１ｂに送られる。現像器２０１ｂは、現像ローラ２０１ｆと、搬送部材２０１ｅを有している。そして、マグネットローラ２０１ｄにより現像剤ホッパー２０１ａから送られた現像剤は、搬送部材２０１ｅにより現像ローラ２０１ｆに送られて、この現像ローラ２０１ｆにより感光体ドラム１０４に供給される。
【００４２】
尚、クリーナ部２０２は、感光体ドラム１０４に残留している現像剤を除去するためのものである。又、一次帯電器２０３は、感光体ドラム１０４を帯電するためのものである。
【００４３】
図２に示す外装カバーの一部である現像剤補給容器交換用前カバー１５（以下、「交換用前カバー」という。）を図３に示すようにユーザーが矢印ｂ方向に開けると、現像剤補給装置１８が現れる。そして、この現像剤補給装置１８内に現像剤補給容器１を矢印ａ方向に挿入する。
【００４４】
その後、図４に示すように、ボトルトレイ５０上に現像剤補給容器１を載置し、操作レバー１１を回動することで現像剤補給容器１が画像形成装置と係合し、補給可能な状態にセットされる。
【００４５】
ユーザーが現像剤補給容器１を装置本体１００Ａから取り出す際には、装着時とは逆のレバー操作を行なうことで、ボトルトレイ５０に載っている現像剤補給容器１を取り出す。
【００４６】
ここでは、交換用前カバー１５は現像剤補給容器１を着脱（交換）するための専用カバーであって、現像剤補給容器１を着脱するためだけに開閉される。
【００４７】
尚、装置本体１００Ａのメンテナンスは、前面カバー１００ｃを開閉することによって行われるが、その他の構成であっても構わない。
【００４８】
また、ボトルトレイ５０を介することなく、現像剤補給容器１を装置本体１００Ａに直接装着し、又、装置本体１００Ａから取り外してもよい。
【００４９】
＜現像剤補給容器＞
次に、本発明における現像剤補給容器１（以下、「トナーボトル」という。）について図５を用いて説明する。
【００５０】
図５は、本実施例におけるトナーボトル１の断面斜視図である。
【００５１】
図５において、トナーボトル１は、略中空円筒形状の容器本体１Ａを有している。容器本体１Ａの一端側のほぼ中央に容器本体内径よりも小さい内径を有した円筒部が突設されており、この円筒部先端側が現像剤（トナー）を画像形成装置（現像装置）側へ排出するための現像剤排出開口部１ａとされる。前記開口部１ａには開口部１ａを密封する封止部材２が軽圧入嵌合されている。この封止部材２は、トナーボトル１の軸方向（図５にてＣ−Ｃ方向）にトナーボトル１に対して相対的にスライド移動することにより、開口部１ａの自動開閉動作を行う。なお、図５において、開口部１ａは、封止部材２により閉止された状態にある。
【００５２】
図６を参照して、開口部１ａの自動開閉動作についてその一例を簡単に説明する。
【００５３】
図６（ａ）に示すように、装置本体１００Ａには駆動部材３０が設けられている。図６（ｂ）に示すように、現像剤補給容器１を第１の方向、即ち、ａ方向へ変位させると、封止部材２は駆動部３０へと挿入される。封止部材２は、駆動部３０と係止突起２ａによって係止される。
【００５４】
また、この時、封止部材２と、容器本体１Ａの被ロック係止部２ｂとの係合が解消され、封止部材２は開口部１ａを開封可能となる。
【００５５】
その後、図６（ｃ）に示すように容器本体１Ａがｂ方向へ変位すると、開口部１ａより封止部材２が開封し、現像剤を排出可能な状態となる。さらに、駆動部２０が回転すると、駆動受け部（図示せず）を介して封止部材２が駆動力を受け回転する。
【００５６】
開口部１ａの自動開閉機構は、本発明の特徴部をなすものではないので、封止部材及び駆動部材等のこれ以上の詳しい説明は省略する。
【００５７】
次に、トナーボトル１の内部の構成について説明する。
【００５８】
トナーボトル１は、略円筒形状を有しており、画像形成装置本体内に略水平方向に配置されている。上述したように、トナーボトル１は、開口部１ａに配置された封止部材２に設けられた係止突起２ａが画像形成装置本体１００Ａの駆動部材３０と係合して、画像形成装置本体１００Ａからトナーボトル１に回転駆動力が伝達される。
【００５９】
容器本体１Ａは、本実施例においてはインジェクションブロー成形によって成形されている。そして、図５に示すように、容器本体１Ａの内面には螺旋状の突起部１ｂが形成されており、トナーボトル１の回転に伴ってトナーを現像剤排出開口部１ａへ搬送する構成とされる。トナーボトル１の開口部１ａ内には搬送部材３が内設されている。トナーボトル１内に収容されたトナーは、螺旋状突起１ｂによって開口部１ａへと搬送され、搬送されてきたトナーを搬送部材３によって持ち上げ、前記開口部１ａから現像ホッパー２０１ｂへと補給する。
【００６０】
次に、本実施例におけるトナーボトル１について説明する。
【００６１】
本実施例におけるトナーボトル１は、一般的に広く知られている射出成形やインジェクションブロー成形などの各種製法を用いてよく、特に限定する必要はないが、本実施例では、インジェクションブロー成形にて製作したトナーボトルの例を示す。
【００６２】
ここで、インジェクションブロー成形工程について簡単に説明する。
【００６３】
インジェクションブロー成形は、先ず、射出成形によって“プリフォーム”と呼ばれる試験管のような有底筒状の部材を形成し、その後加熱・温調して軸方向に延伸しながらエアーを吹き込みブロー成形を行い、製作するものである。射出成形とブロー成形を組み合わせた製法で、それぞれのメリットを生かした方法が特徴である。
【００６４】
本実施例では、プリフォームの口部をトナーボトル１の開口部１ａとしているため、後述する搬送部材３を支持する支持部１ｃ（図９参照）のような細かい形状でも射出成形によって精度よく形成することができる。一方、開口部１ａ以下の容器本体１Ａの部分については、ブロー成形によって形成することでトナーボトル内部に螺旋状の突起１ｂを容易に形成することができる。
【００６５】
このように精度が欲しい部分は射出成形で、内部に突起形状が必要な部分はブロー成形で、というようにそれぞれの特徴を生かした製法として、インジェクションブロー成形法は、トナーボトルの製法としては好適である。
【００６６】
＜搬送部材の説明＞
次に、本発明の最も特徴的な構成を有する搬送部材３について図７、図８、図９を用いて説明する。
【００６７】
図７は、本発明の第一実施例における搬送部材３の構成を示す図であり、図７（Ａ）は分解斜視図、図７（Ｂ）は組み立てた状態を示す斜視図である。
【００６８】
図８は、搬送部材３の動作説明図であり、図８（Ａ）は搬送部材３が閉じた状態、図８（Ｂ）は開いた状態を示している。
【００６９】
図９は、搬送部材３をトナーボトル１へ挿入・固定する様子を示す図であり、図９（Ａ）は挿入前、図９（Ｂ）は挿入後を示す部分斜視図である。
【００７０】
図７及び図８に示すように、本実施例にて、搬送部材３は、容器本体１Ａが回転すると、容器本体１Ａと共に回転する一対のバッフル部材３Ａを備えている。各バッフル部材３Ａは、回転することによって容器本体１Ａ内の現像剤を持ち上げる板状の仕切り壁部３ａと、持ち上げた現像剤を排出開口部１ａへと搬送する搬送リブ部３ｂとを有している。
【００７１】
また、対をなすバッフル部材３Ａ、３Ａは、トナーボトル１の回転軸を中心とした回転中心軸対称となるように対称配置にて支持軸３ｃによって回転可能に支持されている。
【００７２】
つまり、仕切り壁部３ａは、容器本体１Ａ内を略二分する形状とされる。また、容器本体１Ａに設置した状態において、螺旋状突起１ｂと接続されているのが好ましい。
【００７３】
更に、バッフル部材３Ａ、３Ａの間には付勢手段であるＵ字形状の板バネ３ｄが設けられ、従って、図８（Ｂ）に示すように、変位可能に構成されている。板バネ３ｄは、搬送リブ部３ｂに形成されたバネ保持部３ｂ１に保持されている。つまり、バッフル部材３Ａ、３Ａは、軸受部３ｅを介して支持軸３ｃに揺動可能に支持されており、この板バネ３ｄにより支持軸３ｃを回転中心としてバッフル部材同士を互いに開く方向（矢印方向）に付勢されている。
【００７４】
図９は、搬送部材３をトナーボトル１へ挿入・固定する様子を示す図であり、図９（Ａ）は挿入前、図９（Ｂ）は挿入後を示す部分斜視図である。
【００７５】
図１０は、搬送部材３の挿入からトナーボトル１内で開放するまでの様子を説明した図である。
【００７６】
先ず、図９（Ａ）は挿入前の状態で、搬送部材３を閉じた状態でトナーボトル１側へ挿入する。この時、開口部１ａ内面には搬送部材３の支持軸３ｃを支持固定するための支持部１ｃが設けられており、そこへ搬送部材３の支持軸３ｃが突き当たるまで挿入する。支持部１ｃはスナップフィット的に弾性変形可能な支持形状を成しており、支持軸３ｃが挿入されることによって弾性変形して図９（Ｂ）に示すように支持軸３ｃをトナーボトル１の開口部１ａに支持固定する。これにより、搬送部材３は回転方向及び軸線方向いずれに対してもトナーボトル１にしっかりと固定され、トナーボトル１と一体となる。
【００７７】
なお、各バッフル部材３Ａの仕切り壁部３ａは、容器本体１Ａ内へと挿入する際に容器本体１Ａの内面、即ち、開口部１ａの内面等に接触することで径方向内側へ変位する。そのため、仕切り壁部３ａの外周部には、第一の傾斜面３ａ１、３ａ３と、容器本体１Ａ内から取出す際に容器本体内面に接触することで径方向内側へ変位するための第二の傾斜面３ａ２、３ａ４とを有している。
【００７８】
尚、図９（Ａ）、図１０（Ａ）に示すように、各バッフル部材３Ａ、３Ａを把持手段（図示せず）にて把持し、互いの方へと板バネ３ｄの付勢力に抗して変位させ、そして、図９（Ｂ）、図１０（Ｂ）の位置まで挿入することもできる。その後、各バッフル部材３Ａ、３Ａの把持を開放すると、板バネ３ｄの弾性回復力によって各バッフル部材３Ａ、３Ａは、トナーボトル１内で矢印方向に開放され、径方向外側に変位される（図１０（Ｃ））。これにより、仕切り壁部３ａの第一の傾斜面３ａ１が容器本体１Ａの内壁面に当接し、トナーボトル１の開口部１ａと容器本体１Ａの段差部１Ａａ１に、第二の傾斜面３ａ２と第３の傾斜面３ａ３とにて形成される山形形状凹部３ａ５が嵌り合う。これにより、図１０（Ｃ）のような状態で搬送部材３は、容器本体内部に、即ち、トナーボトル１に固定される。
【００７９】
そして、所定のトナーを開口部１ａから充填した後、図１０（Ｄ）に示すように、開口部１ａを封止するための封止部材２を圧入することでトナーボトル１の組立が完了する。
【００８０】
このように、本実施例における現像剤補給容器（トナーボトル）１は、小径の開口部１ａから挿入した搬送部材３を容器本体１Ａの内壁に密着するまで容器内部で自由に変位することが可能である。そのために、螺旋状突起１ｂによって開口部１ａ近傍へ搬送されてきたトナーを確実に開口部１ａへと導いて、排出させることができる。従って、非常に補給性能に優れた現像剤補給容器１を実現できる。
【００８１】
また、開口部１ａ近傍にこのような搬送部材３を容器内に設けることが可能であるため、開口部１ａ近傍でトナーがブロッキングしても、前記搬送部材３によってトナーを積極的に崩すことができるため、排出初期からスムーズで確実な補給動作を実現できる。
【００８２】
また、前記搬送部材３は容器本体１Ａと一体となって回転するため、従来技術のように容器内壁と掻き取り部材を摺擦させてトナーを搬送させる構成ではない。そのため、トナーにストレスを与えず、凝集体や粗粒の発生のない、画像品質に影響を与えない現像剤補給容器を提供することができる。
【００８３】
また、搬送部材３は板バネ３ｄによって常に容器内壁に付勢されており容器内壁と搬送部材３との間に隙間が存在せずに密着状態を維持できる。そのため、トナーのすり抜けが生じることがなく、確実にトナーを搬送でき、残留トナーが極めて少ない現像剤補給容器１を提供できる。
【００８４】
上述した実施例はあくまで一例であって、組立工程の順序を変えることによって、より最適化した現像剤補給容器１にすることも可能である。
【００８５】
例えば本実施例によれば、充填した後に搬送部材３を容器本体１Ａ内に挿入することも可能である。図９（Ａ）の状態で、先に開口部１ａから容器本体１Ａ内にトナーを充填しておけば、充填時に充填を阻害するものが存在しない。従って、嵩密度の高い状態で容器内にトナーを充填することが可能である。こうすることでより多くのトナーを充填することが可能となり、さらに充填タクトも短縮化できる。
【００８６】
また、本実施例におけるトナーボトル１は、リサイクルにも好適である。
【００８７】
先に説明したように、本実施例におけるトナーボトル１は、容器本体１Ａ、搬送部材３、封止部材２の３部品で構成されており、非常に部品点数が少ない。使用済みのトナーボトルを再利用する場合は、搬送部材３を、図８（Ａ）のように変位させてボトル内から取り外すことで、ボトル内部の清掃を効率良く行なうことが可能である。さらに、取り外した搬送部材３は、従来技術の撹拌翼のように摺擦部分や磨耗部分等の消耗部分が無いため、部品劣化が殆ど無く、何度でも繰り返し使用可能である。分解した各部品を清掃後、容器本体１Ａに新しいトナーを充填し、搬送部材３や封止部材２を再度組み込むことで、容器本体１Ａを繰り返し再生使用することが容易に可能である。その大きな理由としては搬送部材３の独自の構成によるものである。
【００８８】
このように本実施例においては、搬送部材３を閉じたり、開いたりと自由に形状を変位させることが可能な構成であることから、ボトル内部から搬送部材３を容易に取り外すことが可能なため、リサイクル性に優れたトナーボトル１を提供することができる。
【００８９】
実施例２
次に、図１１を参照して、本発明に係る現像剤補給容器の他の実施例について説明する。
【００９０】
本実施例にて、搬送部材３は、先の実施例１とは異なり、搬送部材３が一体で構成されている。
【００９１】
本実施例では、図１１、図１２に示すように、搬送部材３は、一対のバッフル部材３Ａを有している。各バッフル部材３Ａは、回転することによって容器本体１Ａ内の現像剤を持ち上げる板状の仕切り壁部３ａと、持ち上げた現像剤を排出開口部１ａ（図１３（Ｃ））へ搬送する搬送リブ部３ｂとを有している。搬送リブ３ｂは、各バッフル部材３Ａに対して搬送部材３の両面となるようにして回転対称に配置している。
【００９２】
また、本実施例では、図１３、図１４に示すように、搬送部材３は、容器本体１Ａより小径とされる容器本体端面に形成した開口部である容器本体開口部１Ａａから容器本体１Ａ内へと挿入される。
【００９３】
また、本実施例では、上述のように、図１３、図１４に示すように、搬送部材を３を開口部１Ａａから容器本体１Ａ内へと挿入する際に仕切り壁部３ａが径方向内側に変位可能なようにスリット部３ｇが形成されている（図１１、図１２）。従って、各バッフル部材３Ａは、図１２（Ｂ）に示すように、弾性変形により仕切り壁部３ａが径方向内側又は径方向外側に変位可能である。
【００９４】
また、各バッフル部材３Ａの外周縁には、第１傾斜面３ａ１と第２傾斜面３ａ３が形成され、そして、第一の傾斜面３ａ１と第二の傾斜面３ａ３とを接続する連結面３ａ３にて山形形状とされている。
【００９５】
上述のように、スリット３ｇを設けることにより、バッフル部材３ａ及び搬送リブ３ｂは、図１２（Ｂ）に示すように矢印方向に弾性変形可能となる。従って、図１４（Ａ）、（Ｂ）に示すように、容器本体開口部１Ａａに挿入した際に、第一の傾斜面３ａ１が容器本体開口部１Ａａに接触することで、バッフル部材３Ａが径方向内側に弾性変形する。開口部１Ａａを通過した後に弾性力によって容器内部で径方向外側へと元の状態に復元し、図１４（Ｃ）、（Ｄ）に示すように、連結面３ａ２及び第二傾斜面３ａ３が容器内壁に密着し、搬送部材３を固定した状態で保持することが可能となる。
【００９６】
また、上述したように、搬送部材３の先端には第一の傾斜面３ａ１が設けてある。そのため、従来のように搬送部材３の支持部に掻き取り羽根を巻き付けながら挿入するといった面倒な作業も不要で、挿入するだけでセット可能といった、非常に組立性に優れた現像剤補給容器を提供することができる。
【００９７】
第二実施例においても、小径の開口部１ａから大径の容器本体１Ａまでを一体的に形成されたトナーボトル１内に搬送部材３を設けることが可能であるため、よりシンプル且つ低コストで実現することができる。
【００９８】
尚、本実施例では、封止部材２が装着される小径の開口部１ａを備えた開口部材１Ｂは、容器本体１Ａと一体に成形されるのではなく、別部材として成形され、その後一体とされている。
【００９９】
つまり、図１３に図示するように、開口部１ａは、円筒状のフランジ４と一体に成形されており、このフランジ４が容器本体１Ａの一端を形成する、螺旋状突起が成形されていない容器本体開口部１Ａａに嵌合され、一体に接続される。
【０１００】
図１３（Ａ）、（Ｂ）、（Ｃ）は、本実施例のトナーボトル１の組み立て方法の一例を示す部分断面斜視図である。図１３（Ａ）は、容器本体１Ａ（図中はボトル１Ａの長さをカットした省略図である）の端面に形成された開口部１Ａａの内面に設けた支持部１ｃに搬送部材３の固定部３ｆを挿入する様子を示す。この支持部１ｃは、対向方向に２箇所設けてあり、それに対応して搬送部材３の固定部３ｆも２箇所設けている。
【０１０１】
図１３（Ａ）に示すように、支持部１ｃ内に固定部３ｆを、フランジ４が容器本体開口部１Ａａの段差１Ａａ１に突き当たるまで挿入することで、搬送部材３の回転方向と片方の軸方向の位置を規制する。また、図１３（Ｂ）に示すように、シール部材５を容器本体開口部１Ａａの端面１Ａａ２と、フランジ４の内部端面溝部４ａとの間に挟み込み、図１３（Ｃ）に示すように、容器本体１Ａとフランジ４を固定して組み立て完了となる。
【０１０２】
図１４は、搬送部材３の挿入の様子を段階的に示す図である。図１４（Ａ）は挿入前、図１４（Ｂ）はボトル内を搬送部材３が通過中の様子、図１４（Ｃ）は搬送部材３が所定の位置にセットされ弾性変形してボトル内壁に密着した様子、を示す図である。また、図１４（Ｄ）は、その後、開口部材１Ｂ、封止部材２、シール部材５を組み込んだ状態の図である。
【０１０３】
本実施例２では、開口部材１Ｂは、樹脂材料を一般的な射出成形によって形成したものを使用した。この開口部材１Ｂのフランジ部４とトナーボトル１の結合は、ボトル１に設けたネジ部１ｄとフランジ４の内面に設けたネジ部（不図示）によってネジ係合されることで着脱可能に固定する。フランジ４と容器本体１Ａとをネジ結合することで、その間に挟まれた搬送部材３は、両者の間で軸方向に固定された状態となる（図１４（Ｄ）参照）。
【０１０４】
また、本発明における実施例２の現像剤補給容器１は、先の実施例１と同様にリサイクルにも好適である。
【０１０５】
使用済みの現像剤補給容器１を再使用する場合は、開口部材１Ｂを容器本体１Ａから除去した後、搬送部材３を容器本体開口部１Ａａ側から引っ張ると第二の傾斜面３ａ３が容器本体１Ａの内面に当接する。これにより、バッフル部材３Ａが径方向内側に弾性変形し、容器本体開口部１Ａａを通過して取り出すことができる。取り出した後に、容器本体内を清掃すれば、内部に搬送部材３が存在しないため、容易に清掃が行なうことができる。清掃後は、容器本体内に搬送部材３が無い状態なので、この状態でトナーを再充填すれば充填を阻害する障害物が無いため非常に充填密度が高い状態で充填可能である。更に、充填タクトも短くなるため生産性の高い現像剤補給容器を提供することができる。
【０１０６】
また、上述したように搬送部材３を容器本体１Ａ内に容易に装脱着することが可能なので、搬送部材３の消耗が殆どない。そのことから、繰り返し現像剤補給容器１として使用することが可能で、環境性、エコロジー性に優れた現像剤補給容器を提供できる。
【０１０７】
以上説明したように、本実施例における現像剤補給容器１は、従来開口部が一箇所しか設けることができなかった容器本体でも、小径の開口部から自由に搬送部材を挿入することが可能である。そのため、開口部付近でブロッキングが発生しても、撹拌・搬送部材によって積極的にブロッキングしたトナーを崩し、初期から良好な排出性を維持することが可能である。
【図面の簡単な説明】
【０１０８】
【図１】本発明に係る現像剤補給容器が適用される画像形成装置の一実施例の概略縦断面図である。
【図２】図１の画像形成装置の斜視図である。
【図３】図１の画像形成装置の現像剤補給容器交換用カバーを開いて現像剤補給容器を画像形成装置に装着する様子を示す斜視図である。
【図４】本発明に係る現像剤補給容器を装着する現像剤補給装置の概略斜視図である。
【図５】本発明に係る現像剤補給容器の一実施例の部分断面斜視図である。
【図６】本発明に係る現像剤補給容器の自動開閉動作を説明する図である。
【図７】本発明の実施例１の搬送部材の斜視図であり、図７（Ａ）は搬送部材の分解斜視図、図７（Ｂ）は組んだ状態を示している。
【図８】本発明の実施例１の搬送部材の斜視図であり、図８（Ａ）は搬送部材が閉じた状態、図８（Ｂ）は開いた状態を示している。
【図９】本発明の実施例１の搬送部材の挿入・固定方法を説明する図である。
【図１０】本発明の実施例１のトナーボトルの組立工程の一例を示す図である。
【図１１】本発明の実施例２の搬送部材の説明図であり、図１１（Ａ）は斜視図、図１１（Ｂ）は正面図である。
【図１２】本発明の実施例２の搬送部材の正面図であり、図１２（Ａ）は搬送部材が弾性変形する前、図１２（Ｂ）は弾性変形した状態を示している。
【図１３】本発明の実施例２の搬送部材の固定方法を示す図であり、トナーボトルの組立工程の一例を示す図である。
【図１４】本発明の実施例２のトナーボトルの組立工程の一例を示す図である。
【符号の説明】
【０１０９】
１            現像剤補給容器（トナーボトル）
１Ａ          容器本体
１Ａａ        容器本体開口部
１Ｂ          開口部材
１ａ          現像剤排出開口部
１ｂ          螺旋状突起
１ｃ          支持部
１ｄ          ネジ部
２            封止部材
２ａ          係止突起
２ｂ          解除突起
３            搬送部材
３Ａ          バッフル部材
３ａ          仕切り壁
３ｂ          搬送リブ
３ｃ          支持軸
３ｄ          板バネ
３ｅ          軸受部
３ｆ          固定部
３ｇ          スリット部
４            フランジ
５            シール部材
１００        画像形成装置
１００Ａ      画像形成装置本体
１００ａ      操作部
１００ｃ      前面カバー
１０４        電子写真感光体ドラム（像担持体）
２０１        現像部
２０１ａ      現像ホッパー
２０１ｂ      現像器
２０１ｃ      撹拌部材
２０１ｄ      マグネットローラ
２０１ｅ      搬送部材
２０１ｆ      現像ローラ
Ｔ            トナー（現像剤）
【図１】
2010117604.tif 000003
【図２】
2010117604.tif 000004
【図３】
2010117604.tif 000005
【図４】
2010117604.tif 000006
【図５】
2010117604.tif 000007
【図６】
2010117604.tif 000008
【図７】
2010117604.tif 000009
【図８】
2010117604.tif 000010
【図９】
2010117604.tif 000011
【図１０】
2010117604.tif 000012
【図１１】
2010117604.tif 000013
【図１２】
2010117604.tif 000014
【図１３】
2010117604.tif 000015
【図１４】
2010117604.tif 000016